【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
外部装置と通信可能な情報処理装置であって、
外部装置の認証を行う認証手段と、
所定期間内に、情報を入力する入力手段と、
前記所定期間内に前記入力手段によって入力された情報を前記認証手段によって認証された外部装置と関連付けて記憶する記憶手段と、
前記記憶手段に記憶されている情報の処理の要求を外部装置から受信する受信手段と、
前記受信手段により受信される要求を送信した外部装置が前記記憶手段に記憶された情報と関連付けられた外部装置である場合、前記記憶手段に記憶された情報の処理を実行する実行手段と
を備えることを特徴とする情報処理装置。
【請求項２】
前記受信手段により受信される要求を送信した外部装置が前記記憶手段に記憶された情報と関連付けられた外部装置でない場合、前記記憶手段に記憶された情報の処理の要求を拒否する拒否手段をさらに備えることを特徴とする請求項１に記載の情報処理装置。
【請求項３】
前記外部装置が、認証情報が記録された非接触型のＩＣチップを内蔵した携帯情報端末であって、
前記認証手段が、ＩＣチップに記録された情報を読み取るＩＣチップリーダを備え、前記携帯情報端末のＩＣチップに記録された認証情報を読み取る
ことを特徴とする請求項１に記載の情報処理装置。
【請求項４】
外部装置と通信可能な情報処理装置であって、
識別情報を外部装置から取得する取得手段と、
所定期間内に、情報を入力する入力手段と、
前記所定期間内に前記入力手段によって入力された情報を前記取得手段によって取得された識別情報と関連付けて記憶する記憶手段と、
前記記憶手段に記憶されている情報の処理の要求と識別情報とを外部装置から受信する受信手段と、
前記記憶手段に記憶された情報と関連付けられた識別情報と前記受信手段により受信された識別情報とが一致する場合、前記記憶手段に記憶された情報の処理を前記要求に従って実行する実行手段と
を備えることを特徴とする情報処理装置。
【請求項５】
前記所定期間の始期を指示する第１の指示手段と、
前記所定期間の終期を指示する第２の指示手段と
をさらに備えることを特徴とする請求項１又は４に記載の情報処理装置。
【請求項６】
前記所定期間が、外部装置が認証された後から外部装置がログアウトするまでの期間であることを特徴とする請求項１又は４に記載の情報処理装置。
【請求項７】
ネットワークを介して、Ｗｅｂブラウザ機能を有する外部装置との間でＨＴＴＰ通信を行う通信手段をさらに備えることを特徴とする請求項１又は４に記載の情報処理装置。
【請求項８】
情報処理装置で行われる情報処理方法であって、
外部装置の認証を行う認証工程と、
所定期間内に、前記情報処理装置に情報を入力する入力工程と、
前記所定期間内に前記入力工程で入力された情報を前記認証工程によって認証された外部装置と関連付けて記憶装置に記憶する記憶工程と、
前記記憶装置に記憶されている情報の処理の要求を外部装置から受信する受信工程と、
前記受信工程で受信される要求を送信した前記外部装置が前記記憶装置に記憶された情報と関連付けられた外部装置である場合、前記記憶装置に記憶された情報の処理を実行する実行工程と
を有することを特徴とする情報処理方法。
【請求項９】
情報処理装置で行われる情報処理方法であって、
識別情報を外部装置から取得する取得工程と、
所定期間内に、情報を入力する入力工程と、
前記所定期間内に前記入力工程で入力された情報を前記取得工程で取得された識別情報と関連付けて記憶装置に記憶する記憶工程と、
前記記憶装置に記憶されている情報の処理の要求と識別情報とを外部装置から受信する受信工程と、
前記記憶装置に記憶された情報と関連付けられた識別情報と前記受信工程により受信された識別情報とが一致する場合、前記記憶装置に記憶された情報の処理を前記要求に従って実行する実行工程と
を備えることを特徴とする情報処理方法。
【請求項１０】
情報処理装置に情報処理を実行させるためのプログラムであって、
外部装置の認証を行う認証手順と、
所定期間内に、前記情報処理装置に情報を入力する入力手順と、
前記所定期間内に前記入力手順によって入力された情報を前記認証手順によって認証された外部装置と関連付けて記憶装置に記憶する記憶手順と、
前記記憶装置に記憶されている情報の処理の要求を外部装置から受信する受信手順と、
前記受信手順により受信される要求を送信した外部装置が前記記憶装置に記憶された情報と関連付けられた外部装置である場合、前記記憶装置に記憶された情報の処理を前記情報処理装置に実行させる実行手順と
を実行させるためのプログラム。
【請求項１１】
情報処理装置に情報処理を実行させるためのプログラムであって、
識別情報を外部装置から取得する取得手順と、
所定期間内に、情報を入力する入力手順と、
前記所定期間内に前記入力手順で入力された情報を前記取得手順で取得された識別情報と関連付けて記憶装置に記憶する記憶手順と、
前記記憶装置に記憶されている情報の処理の要求と識別情報とを外部装置から受信する受信手順と、
前記記憶装置に記憶された情報と関連付けられた識別情報と前記受信手順により受信された識別情報とが一致する場合、前記記憶装置に記憶された情報の処理を前記要求に従って実行する実行手順と
を実行させるためのプログラム。
【手続補正２】
【補正対象書類名】明細書
【補正対象項目名】０００７
【補正方法】変更
【補正の内容】
【０００７】
上記課題を解決するために、本発明は、外部装置と通信可能な情報処理装置であって、外部装置の認証を行う認証手段と、
所定期間内に、情報を入力する入力手段と、
前記所定期間内に前記入力手段によって入力された情報を前記認証手段によって認証された外部装置と関連付けて記憶する記憶手段と、
前記記憶手段に記憶されている情報の処理の要求を外部装置から受信する受信手段と、
前記受信手段により受信される要求を送信した外部装置が前記記憶手段に記憶された情報と関連付けられた外部装置である場合、前記情報に対する処理を前記要求に従って実行する実行手段とを備えることを特徴とする。
【手続補正３】
【補正対象書類名】明細書
【補正対象項目名】０００８
【補正方法】変更
【補正の内容】
【０００８】
また、上記課題を解決するために、本発明は、外部装置と通信可能な情報処理装置であって、
識別情報を外部装置から取得する取得手段と、
所定期間内に、情報を入力する入力手段と、
前記所定期間内に前記入力手段によって入力された情報を前記取得手段によって取得された識別情報と関連付けて記憶する記憶手段と、
前記記憶手段に記憶されている情報の処理の要求と識別情報とを外部装置から受信する受信手段と、
前記記憶手段に記憶された情報と関連付けられた識別情報と前記受信手段により受信された前記識別情報とが一致する場合、前記記憶手段に記憶された情報の処理を前記要求に従って実行する実行手段と
を備えることを特徴とする。
【手続補正４】
【補正対象書類名】明細書
【補正対象項目名】０００９
【補正方法】変更
【補正の内容】
【０００９】
さらに、上記課題を解決するために、本発明は、情報処理装置で行われる情報処理方法であって、
外部装置の認証を行う認証工程と、
所定期間内に、前記情報処理装置に情報を入力する入力工程と、
前記所定期間内に前記入力工程で入力された情報を前記認証工程によって認証された外部装置と関連付けて記憶装置に記憶する記憶工程と、
前記記憶装置に記憶されている情報の処理の要求を外部装置から受信する受信工程と、
前記受信工程で受信される要求を受信した外部装置が前記記憶装置に記憶された情報と関連付けられた外部装置である場合、前記記憶装置に記憶された情報の処理を実行する実行工程と
を有することを特徴とする。
【手続補正５】
【補正対象書類名】明細書
【補正対象項目名】００１０
【補正方法】変更
【補正の内容】
【００１０】
さらにまた、上記課題を解決するために、本発明は、情報処理装置で行われる情報処理方法であって、
識別情報を外部装置から取得する取得工程と、
所定期間内に、情報を入力する入力工程と、
前記所定期間内に前記入力工程で入力された情報を前記取得工程で取得された識別情報と関連付けて記憶装置に記憶する記憶工程と、
前記記憶装置に記憶されている情報の処理の要求と識別情報とを外部装置から受信する受信工程と、
前記記憶装置に記憶された情報と関連付けられた識別情報と前記受信工程により受信された前記識別情報とが一致する場合、前記記憶装置に記憶された情報の処理を前記要求に従って実行する実行工程と
を備えることを特徴とする。
【手続補正６】
【補正対象書類名】明細書
【補正対象項目名】００１１
【補正方法】変更
【補正の内容】
【００１１】
さらにまた、上記課題を解決するために、本発明は、情報処理装置に情報処理を実行させるためのプログラムであって、
外部装置の認証を行う認証手順と、
所定期間内に、前記情報処理装置に情報を入力する入力手順と、
前記所定期間内に前記入力手順によって入力された情報を前記認証手順によって認証された外部装置と関連付けて記憶装置に記憶する記憶手順と、
前記記憶装置に記憶されている情報の処理の要求を外部装置から受信する受信手順と、
前記受信手順により受信される要求を送信した外部装置が前記記憶装置に記憶された情報と関連付けられた外部装置である場合、前記記憶装置に記憶された情報の処理を前記情報処理装置に実行させる実行手順と
を実行させることを特徴とする。
【手続補正７】
【補正対象書類名】明細書
【補正対象項目名】００１２
【補正方法】変更
【補正の内容】
【００１２】
さらにまた、上記課題を解決するために、本発明は、情報処理装置に情報処理を実行させるためのプログラムであって、
識別情報を外部装置から取得する取得手順と、
所定期間内に、情報を入力する入力手順と、
前記所定期間内に前記入力手順で入力された情報を前記取得手順で取得された識別情報と関連付けて記憶装置に記憶する記憶手順と、
前記記憶装置に記憶されている情報の処理の要求と識別情報とを外部装置から受信する受信手順と、
前記記憶装置に記憶された情報と関連付けられた識別情報と前記受信手順により受信された識別情報とが一致する場合、前記記憶装置に記憶された情報の処理を前記要求に従って実行する実行手順と
を実行させることを特徴とする。